(57)【要約】      （修正有）【課題】身体の健康を保つ効果を有する、分子の転記共振システムを提供する。【解決手段】クラウドサーバー１と、利用者インターフェイス２と、転記装置３とからなる。前記クラウドサーバーは、処理装置１０と、専門家評定装置２０と、分子輸送体装置３０と、アドバイス装置４０と、分子輸送体ダウンロード装置５０と、共振装置６０とからなる。以上により、使用者は、分子輸送体をダウンロードし、身体の分子を転記装置３を通して分子輸送体に転記するとともに、共振装置６０によって共振された分子が再び身体に還元されることにより、身体の健康を保つ効果を得ることができる。【選択図】図２
0003187150.tif 000002
【実用新案登録請求の範囲】
【請求項１】
クラウドサーバーと、利用者インターフェイスと、転記装置とからなる分子の転記共振システムであって、
前記クラウドサーバーは、処理装置と、専門家評定装置と、分子輸送体装置と、アドバイス装置と、分子輸送体ダウンロード装置と、共振装置とからなり、
前記専門家評定装置は、処理装置と接続するとともに、専門家評定データベースを有し、専門家によって身体の予期症状に対する医療・健康に関する意見データが入力され、
前記分子輸送体装置は、処理装置と接続するとともに、分子輸送体データベースを有することにより、分子輸送体の入力・保存に用いられ、
前記アドバイス装置は、処理装置と接続するとともに、処理装置を有することにより、使用者が入力した身体症状と、専門家が入力した医療・健康意見データを対応させて、使用者がダウンロードすべき分子輸送体の種類についてのアドバイス情報を産出し、
前記分子輸送体ダウンロード装置は、アドバイス装置と接続するとともに、使用者が分子輸送体をダウンロードするために用いられ、
前記共振装置は、処理装置及び分子輸送体ダウンロード装置と接続し、
前記利用者インターフェイスは、クラウドサーバーと接続するとともに、転記装置と共振装置を接続し、
前記転記装置は、音声を集め且つ音波を分子輸送体に転記する録音装置であることを特徴とする、分子の転記共振システム。
【請求項２】
前記分子輸送体は、例えば、経絡図・人体解剖図・反射区図・生体優質写真・薬剤単方・複方のいずれか一つであることを特徴とする、請求項１に記載の分子の転記共振システム。
【請求項３】
前記クラウドサーバーは、使用者の身体健康状況を探測する作用を備えたクラウド探測装置と接続されることを特徴とする、請求項１に記載の分子の転記共振システム。
【考案の詳細な説明】
【技術分野】
【０００１】
本考案は、分子の転記共振システムに関し、特に、分子の転記共振法の原理を応用して、使用者がクラウドサーバーから分子輸送体をダウンロードするとともに、身体の分子を分子輸送体に転記して共振させた後、再び身体に還元することによって、身体の健康を保つ効果を有する、分子の転記共振システムに関する。
【背景技術】
【０００２】
統計によると、全世界の９０％の医療資源を３０％の人たちが使用しているとされる。残りの７０％という大多数の人たちは、生きるため、家族を養うために、疾病が長引くという現状がある。これは、後進地域の平均寿命がわずか４５歳〜５０歳であることの主な要因である。この年齢層は、正に一個人の体力・経験・生産力がピークに達する時期である。もし、この時期に亡くなったとしたら、家庭は苦境に陥り、子息は貧困に直面することになる。
【０００３】
医療保健が施行されている地域においても、状況が明らかに好転するわけではない。政府及び雇い主は、膨大な健康保健費用に圧迫されて、息ができない状態である。人々は、年々増加する費用を支払わなければならないにも関わらず、医療環境には極めて僅かな向上しか見られない。
【０００４】
毎年の国家医療費の支出、及び産業界の損失、個人の出費について詳細な統計を取ったならば、年々驚異的な速度で増加する数値と曲線を示すであろう。
【０００５】
もし、クラウドコンピューティングを利用した医療システムによって、各専門医や専門家のアドバイスを繋ぎ合わせることができれば、病気の人がいつ、どこでも医療保健行為を受けることができるようになる。これにより、病気の人は、診察を受けるために長距離を移動したり、多量の薬を飲んだりする必要がなくなるため、出費を抑えられる。また、企業はインターネットの恩恵を受け、国家政府は国民の医療支出の減少によって節約された資金を、より高度な専門医療技術によってしか救えない患者のために利用することができる。助けが必要な全ての患者には、貧富貴賎の差別なく同様の機会が与えられ、望ましい治療を受けることができる。
【考案の概要】
【考案が解決しようとする課題】
【０００６】
そこで、本考案は、分子の転記共振法の原理を応用して、使用者が分子輸送体をダウンロードするとともに、身体の分子を分子輸送体に転記して共振させた後、再び身体に還元することによって、身体の健康を保つ効果を有する、分子の転記共振システムを提供することを目的とする。
【課題を解決するための手段】
【０００７】
上述の目的を達成するため、本考案は、クラウドサーバーと、利用者インターフェイスと、転記装置とからなる。前記クラウドサーバーは、処理装置と、専門家評定装置と、分子輸送体装置と、アドバイス装置と、分子輸送体ダウンロード装置と、共振装置とからなる。前記専門家評定装置は、処理装置と接続するとともに、専門家評定データベースを有し、専門家によって身体の予期症状に対する医療・健康に関する意見データが入力される。前記分子輸送体装置は、処理装置と接続するとともに、分子輸送体データベースを有することにより、分子輸送体の入力・保存に用いられる。前記アドバイス装置は、処理装置と接続するとともに、処理装置を有することにより、使用者が入力した身体症状と、専門家が入力した医療・健康意見データを対応させて、使用者がダウンロードすべき分子輸送体の種類についてのアドバイス情報を産出する。前記分子輸送体ダウンロード装置は、アドバイス装置と接続するとともに、使用者が分子輸送体をダウンロードするために用いられる。前記共振装置は、処理装置及び分子輸送体ダウンロード装置と接続する。前記利用者インターフェイスは、クラウドサーバーと接続するとともに、転記装置と共振装置を接続する。前記転記装置は、音声を集め且つ音波を分子輸送体に転記することができる録音装置である。以上の構造に基づき、使用者は分子輸送体をダウンロードし、身体の分子を転記装置を通して分子輸送体に転記するとともに、共振装置によって共振された分子が再び身体に還元されることにより、身体の健康を保つ効果を得ることができる。
【図面の簡単な説明】
【０００８】
【図１】本考案のシステム構成を示した概略図である。
【図２】本考案のシステム構成を示したブロック図である。
【考案を実施するための形態】
【０００９】
図１、図２を参照する。分子の転記共振法の原理を応用した、本考案の分子の転記共振システムは、クラウドサーバー１と、利用者インターフェイス２と、転記装置３とからなる。クラウドサーバー１は、処理装置１０と、専門家評定装置２０と、分子輸送体装置３０と、アドバイス装置４０と、分子輸送体ダウンロード装置５０と、共振装置６０とからなる。以上の構造に基づき、使用者は、利用者インターフェイス２でクラウドサーバー１０に接続した後、分子輸送体ダウンロード装置５０から分子輸送体をダウンロードし、転記装置３を使って身体の分子を分子輸送体に転記するとともに、共振装置６０によって共振させた分子を再び身体に還元することによって、身体の健康を保つ効果を得ることができる。
【００１０】
本考案の処理装置１０は、関連データの処理及び演算を行う。
【００１１】
専門家評定装置２０は、処理装置１０と接続するとともに、専門家評定データベースを有することにより、専門家が予め入力した各種症状の医療・健康に関する意見データを使用者に提供する。
【００１２】
前述の専門家は、専門医・リハビリ医師・生物学者・薬物学者・見識者といった人たちである。
【００１３】
分子輸送体装置３０は、処理装置１０と接続するとともに、分子輸送体データベースを有することにより、分子輸送体の入力・保存に用いられる。
【００１４】
前述の分子輸送体は、例えば、経絡図・人体解剖図・反射区図・生体優質写真・薬剤単方・複方といった医療・健康に関する図及び文章データである。
【００１５】
アドバイス装置４０は、処理装置１０と接続するとともに、処理装置を有することにより、使用者が入力した身体症状と、専門家が入力した医療・健康意見データを対応させて、使用者がダウンロードすべき分子輸送体の種類についてのアドバイス情報を産出する。
【００１６】
分子輸送体ダウンロード装置５０は、アドバイス装置４０と接続するとともに、使用者が分子輸送体をダウンロードするために用いられる。
【００１７】
共振装置６０は、処理装置１０及び分子輸送体ダウンロード装置５０と接続するとともに、使用者がダウンロードした分子輸送体と分子輸送体に転記された身体分子の共振作用を産出する。
【００１８】
利用者インターフェイス２は、携帯電話・パソコン・タブレットパソコンといった端末である。
【００１９】
転記装置３は、利用者インターフェイス２を経由して共振装置６０と接続されるとともに、音声を集め且つ音波を分子輸送体に転記することができる録音装置である。
【００２０】
上述における本考案の各構成部品についての説明に続き、使用原理、及び作用特長について説明する。
【００２１】
使用者は、利用者インターフェイス２を利用し、インターネットを経由してクラウドサーバー１に接続した後、アドバイス装置４０に身体症状のデータを入力するとともに、アドバイス装置４０がアドバイスする分子輸送体の情報に基づいて、分子輸送体ダウンロード装置５０から必要な分子輸送体をダウンロードする。身体の分子は、転記装置３を通して音波形式によって分子輸送体に転記されるとともに、共振装置６０によって共振された後、再び身体に還元される。これにより、身体の健康を保つ効果を得ることができる。
【００２２】
上述の共振装置６０は、手動共振装置６１と、自動共振装置６２とからなる。使用者は、手動共振装置６１を通して、分子輸送体（例えば経絡図の循環方向）に従って手動で共振を行ったり、自動共振装置６２を通して自動で共振を行ったりすることができる。
【００２３】
上述のように、転記装置３を通して身体の分子を音波形式で分子輸送体に転記するだけでなく、科学的電気信号・接触・呼吸気・心電といった形式によって身体の分子を分子輸送体に転記するように応用することもできる。
【００２４】
本考案のクラウドサーバー１は、さらに、クラウド探測装置４と接続されることが可能である。クラウド探測装置４は、使用者の身体健康状況を探測する作用を備える。これにより、本考案は、クラウド探測装置４によって使用者の身体健康状況を探測することで、専門家評定装置２０がより正確な分子輸送体に関する情報をアドバイスすることができる。
【符号の説明】
【００２５】
１            クラウドサーバー
１０   処理装置
２０   専門家評定装置
３０   分子輸送体装置
４０   アドバイス装置
５０   分子輸送体ダウンロード装置
６０   共振装置
６１   手動共振装置
６２   自動共振装置
２            利用者インターフェイス
３            転記装置
４            クラウド探測装置
【図１】
0003187150.tif 000003
【図２】
0003187150.tif 000004
【手続補正書】
【提出日】平成25年9月10日(2013.9.10)
【手続補正１】
【補正対象書類名】実用新案登録請求の範囲
【補正対象項目名】全文
【補正方法】変更
【補正の内容】
【実用新案登録請求の範囲】
【請求項１】
クラウドサーバーと、利用者インターフェイスと、転記装置とからなる分子の転記共振システムであって、
前記クラウドサーバーは、処理装置と、専門家評定装置と、分子輸送体装置と、アドバイス装置と、分子輸送体ダウンロード装置と、共振装置とからなり、
前記専門家評定装置は、処理装置と接続するとともに、専門家評定データベースを有し、専門家によって身体の予期症状に対する医療・健康に関する意見データが入力され、
前記分子輸送体装置は、処理装置と接続するとともに、分子輸送体データベースを有することにより、分子輸送体の入力・保存に用いられ、
前記アドバイス装置は、処理装置と接続するとともに、処理装置を有することにより、使用者が入力した身体症状と、専門家が入力した医療・健康意見データを対応させて、使用者がダウンロードすべき分子輸送体の種類についてのアドバイス情報を産出し、
前記分子輸送体ダウンロード装置は、アドバイス装置と接続するとともに、使用者が分子輸送体をダウンロードするために用いられ、
前記共振装置は、処理装置及び分子輸送体ダウンロード装置と接続し、
前記利用者インターフェイスは、クラウドサーバーと接続するとともに、転記装置と共振装置を接続し、
前記転記装置は、音声を集め且つ音波を分子輸送体に転記する録音装置であることを特徴とする、分子の転記共振システム。
【請求項２】
前記分子輸送体は、経絡図・人体解剖図・反射区図・生体優質写真・薬剤単方・複方のいずれか一つであることを特徴とする、請求項１に記載の分子の転記共振システム。
【請求項３】
前記クラウドサーバーは、使用者の身体健康状況を探測する作用を備えたクラウド探測装置と接続されることを特徴とする、請求項１に記載の分子の転記共振システム。